(57)【要約】      （修正有）【課題】安全で、易しい操作と制御を可能にした絆車独楽を提供する。【解決手段】丸い立形で最下部が細く中央部が最も太く最上部を平面状にして独楽本体Ａにし、平面状の中心部に独楽本体Ａと同体で回転する軸棒Ｂを絆車Ｃの中心部の穴に通して独楽本体Ａに取り付けて、紐結合部Ｄに紐Ｅを固定する。【選択図】図１
0003206347.tif 000002
【実用新案登録請求の範囲】
【請求項１】
本考案の投げ独楽は、１次工程で絆車の太さと長さを調整する。第２次工程で絆車に軸棒を通す穴をあけて調整する。第３次工程で絆車に紐の結合部を設けて調整する、第４次工程で絆車の紐結合部に紐を固定して調整する。第５次工程において絆車に軸棒を通して調整し絆車の加工を完了する。６次工程は独楽本体を調整して絆車と合体させて本考案の投げ独楽を完成させる。本考案の方式による優れた特徴は請求項２から請求項５に記す。
【請求項２】
本考案の投げ独楽の特徴は、本独楽を投げた手で保持した紐に独楽を繋げて離さない方式である、絆車の回転を紐で停止させても、独楽本体と軸棒の回転は続行させる、その要は絆車の中心の穴の細工によって機能する本考案の中枢部である、絆車は操作装置としても本考案の中枢機能を担っている、初心者であっても安全で易しい操作と制御をして回転させられる。従って従来の投げ独楽の欠点を極めて減少させ危険を防止する特徴を有している。
【請求項３】
本考案の投げ独楽は、手に保持した紐を通じて伝わる引張力と回転振動等を手で感受して回転しながら動く独楽の安全な操作と制御を可能にした、絆車と紐の結合による機能によって手から独楽を離さず回転させる方式と構成による機能の特徴によって終始安定した危険抑止力等を備えている。
【請求項４】
本考案の投げ独楽は、手に保持した紐を絆車に固定して独楽を絶対に離さない本方式の操作によって、空中で制御して回転させた独楽を着地させた後も、絆車機能によって独楽を絶対に離さないで操作できるのは、中枢部品である絆車の加工技法と方式に特徴を有している。
【請求項５】
本考案は、常に手と紐と絆車で独楽を一体につなげている、従って独楽を絶対に離さないで回転させる絆車の機能によって危険抑止効果が得られる、加えて回転中も手に保持する紐の長さの調整を手によって可能にした、極めた機能による安定した操作で、安心して安全に制御ができる特徴を有している。
【考案の詳細な説明】
【技術分野】
【０００１】  本考案は、手に保持した紐を紐結合部に固定した絆車を軸棒に通して独楽本体と合体して一体化させる独楽に関するもの。
【背景技術】
【０００２】  従来の投げ独楽の方式は、独楽に紐を巻いて手で強く投げて、手と紐から完全に離して回転させるので、独楽は独立体で危険を抑止できない。【０００３】  しかしながら、従来の投げ独楽は回転をさせるのが難しく、投げて失敗も有る関係上、屋内外共に狭小になった現代社会においては、安全面から敬遠されがちな欠点があった。【０００４】  従来の投げ独楽は、床上等で回転中であっても独楽の動きは予測できず勝手に動き回っても操作と制御の機能は皆無で、一般的に狭小で窮屈な現代社会において、独楽自体に安全を回避する操作ができない欠点があった。【０００５】  従来の投げ独楽は、手で投げて失敗すると独楽は飛び動いて止まるまでは予測不可能で、人や物に当たると損傷損壊の心配も有ることから、教室や体育館の人数の多い場所での教材等としては不向きである欠点があった。
【先行技術文献】
【特許文献】
【０００６】
【特許文献Ｉ】  「独楽と円盤を兼ね備えた遊具」登録番号第３０３０８１６号
【非特許文献】
【０００７】
【非特許文献Ｉ】  独楽  大型本２００２安藤正樹著  全日本独楽回しの会監修
【考案の概要】
【考案が解決しようとする課題】
【０００８】  本考案は、従来の欠点に鑑み、手に保持した紐から絶対に独楽を離れさせない方式を考案して前記の欠点を解決しょうとするものである。【０００９】  従来の投げ独楽は、手から完全に離なれてしまう方式で有るために、手から離した後は、地上と台上等で勝手に動いて回転している、従って独楽を操作して制御するのは不可能で、安全機能等が不足している欠点を解決しょうとするものである。【００１０】  従来の投げ独楽を、屋内の台上や屋外の地上等で回転させようと独楽を投げる際に、失敗すると手から離れて動きが予測不可能で人や物にあたると、人が損傷したり器物が損壊をする心配が有りました、これを予測して危険を予防することは必須なことでありこの欠点を解決するものである。
【課題を解決するための手段】
【００１１】  本考案は、従来の欠点を解消するために、手と紐と独楽を一体にする方式によって、危険性を抑止して失敗を減少させることにより、安心をして易しい操作と制御が可能になる機能を有する投げ独楽を提供することで、問題点を解決している。【００１２】  本考案は、独楽本体と軸棒を、回転させるに必要な中枢部品である絆車に紐を固定する方式で、紐を保持した手に伝わる回転振動、引張力、重力等を手に感受することで、独楽の動き等を予測して危険性を抑止できる安全で易しい操作と制御を可能にした、よって従来の投げ独楽の欠点を減少させ問題点を解決している。【００１３】  本考案は、新方式の中枢部品である絆車の中心の上から下に穴をあけ紐車の外部に紐を固定させた構造によって、手に保持した紐から独楽を絶対に離れさせないことを重視した危険抑止構造の絆車にして、従来の独楽の欠点を解決している。【００１４】
【考案の効果】
【００１５】  以上の説明で明らかなように、本考案にあっては次に記す効果が得られる。【００１６】  ［請求項１］の構成要件とで構成されているので、最大の利点は常に人の手と独楽がつながっている構成に有る、したがって独楽を投げた瞬間から手と紐と絆車を独楽本体に一体化した方式による、絆車の機能で安全に安定した操作と制御を可能にしたことで、危険性を抑止する効果が得られる。【００１７】  安心して安全に回転させられる絆車と軸棒の構成にしたこの新方式により、老若男女誰でも狭い場所において、手とつながっている紐の長さの調整の範囲で操作が可能なって、屋内外を問わず学業に遊びに役立つ効果が得られた。【００１８】    固めた雪の上や公園の地面上で、お子様や初心者が絆車式独楽を回転させた時に、試投で回転させても離れて逃げない独楽として、安全に安定した易しい操作と制御が可能で、失敗をしても安全で有る。【００１９】    従来の投げ独楽は教材として学校の教室や体育館では安全面を考慮して採用するに難点があった、幼稚園から大学まで安心をして採用してもらえることで学校教育に活用されれば役立つ。
【図面の簡単な説明】
【００２０】
【図１】本考案を実施するための最良の形態図である。
【図２】本考案を実施するための対照図（従来の独楽）である。
【図３】本考案を実施するための最良の断面図である。
【実施例】
【００２１】  図１は、本考案装置の実施例であります（Ａ）独楽本体と（Ｂ）軸棒を正常に回転させる（Ｃ）絆車の太さと長さを調製し、中心に上から下に軸棒を通す穴をあける、（Ｄ）絆車に紐結合部の調整をなし（Ｅ）紐の結合と調整して絆車を仕上げる、（Ｂ）絆車に軸棒を通して独楽本体と合体して一体化を成し本考案の独楽を製造する、本考案の独楽を投げて回転させると手とつなげた紐の引張力で絆車を不回転にして操作する、反して独楽本体と軸棒は回転させる、本方式である手に保持した紐を固定した絆車の機能により回転振動と重力等を紐から手に感受して、危険を抑止して安全に安定した易しい操作と制御を可能にしたことにより、危険性を極端に減少させた。
【産業上の利用可能性】
【００２２】  本考案は、新方式独楽を製造する産業で利用される。
【符号の説明】
【００２３】  （Ａ）独楽本体
（Ｂ）軸棒
（Ｃ）紐車
（Ｄ）紐結合部
（Ｅ）紐
【図１】
0003206347.tif 000003
【図２】
0003206347.tif 000004
【図３】
0003206347.tif 000005
【手続補正書】
【提出日】平成28年6月23日(2016.6.23)
【手続補正１】
【補正対象書類名】実用新案登録請求の範囲
【補正対象項目名】全文
【補正方法】変更
【補正の内容】
【実用新案登録請求の範囲】
【請求項１】
丸い立形で最下部が細く中央部が最も太く最上部を平面状にして独楽本体にする、平面状の中心部に独楽本体と同体で回転する軸棒を絆車の中心部の穴に通して独楽本体に取り付けて紐結合部に紐を固定する、特徴の絆車独楽。
【手続補正３】
【補正対象書類名】明細書
【補正対象項目名】００１８
【補正方法】変更
【補正の内容】
【００１８】      固めた雪の上や公園の地面上で、お子様や初心者が絆車独楽を試し回転させて失敗しても手と紐から離れない構造で安全性を確保して易しい操作と制御を可能したので繰り返し試し回転ができる。